(57)【特許請求の範囲】
【請求項１】
発光素子を搭載した基板と、
上記基板の両端部に取り付けられたコネクタと、を有し、
上記コネクタにより、連結可能に構成された照明具であって、
上記基板は、
複数の発光素子を一定のピッチごとに搭載し、
上記コネクタは、
相手方コネクタと嵌合接続する嵌合部と、
上記基板の端部が挿し込まれる挿込部と、を備え、
上記コネクタによって複数の照明具が連結された際、上記コネクタによって連結されている箇所を挟んで両隣に位置する発光素子間のピッチが、上記一定のピッチと同一に構成され、
上記挿込部には、上記基板の発光素子搭載面側に、上記発光素子からの光を遮断することなく外部に出射させるための切欠部が設けられている、
ことを特徴とする照明具。
【請求項２】
上記コネクタは、上記嵌合部により、相手方コネクタと着脱可能に嵌合接続する、
請求項１記載の照明具。
【請求項３】
上記コネクタは、相手方コネクタと脱離不能に係合する係合部を備える、
請求項１又は２記載の照明具。
【請求項４】
上記係合部は、上記コネクタの発光素子搭載面側に備えられている、
請求項３記載の照明具。
【請求項５】
上記基板は、樹脂によって覆われており、
上記基板と上記挿込部との間がシーリングされ、
上記嵌合部には、上記基板内部への浸水を防止する防水加工が施されている、
請求項１乃至４いずれかの項に記載の照明具。
【請求項６】
上記基板は、一端側に電源へ通じる配線がなされ、
所定数の発光素子を一組としたユニットを複数、並列に接続してなり、
上記基板が上記ユニット間で切断された際、上記電源へ通じる側の回路が閉回路を構成する、
請求項１乃至５いずれかの項に記載の照明具。
【発明の詳細な説明】
【技術分野】
【０００１】
本発明は、照明用又は表示用の照明具に関するものであり、特に、所望の長さに延長可能であって、光にムラやばらつきがないものに関する。
【背景技術】
【０００２】
従来から、照明用の光源として、電球などに変わって発光ダイオード（ＬＥＤ）が用いられている。
この発光ダイオードは、消費電力が少なく、また寿命も長いことから、様々な照明用の光源として、又は信号機などの表示用の光源として用いられている。
【０００３】
このような照明として、例えば、基板の両端に配線用コネクタを設け、当該ＬＥＤ照明用プリント基板を連結しても、ＬＥＤ素子の間隔が等間隔となるＬＥＤ照明用プリント基板が提案されている。（特許文献１）。
【０００４】
【特許文献１】特開２００７−１０３８８６号公報
【発明の開示】
【発明が解決しようとする課題】
【０００５】
しかし、上述のＬＥＤ照明用プリント基板は、ＬＥＤ素子のピッチ間隔が狭いと、ＬＥＤ照明用プリント基板を連結した際に、コネクタがＬＥＤ素子に近付き過ぎることになり、ＬＥＤ素子が発する光をコネクタが遮ってしまうという問題があった。
【０００６】
また、むき出しのプリント基板では、水や埃、発光素子が発する熱など、取り付ける場所等が制限され、使い勝手がよくなかった。
さらに、ＬＥＤ照明用プリント基板を複数、連結しても、取付場所の長さが必ずしも、ＬＥＤ照明用プリント基板の正数倍の長さであるとは限らず、長さの微調整がきかなかった。
【０００７】
そこで本発明は、上述の課題を解決した照明具であって、複数連結して所望の長さに延長することができると共に、発光素子が発する光を遮ることなく、光にムラやばらつきのないものを提供することを目的とする。
【課題を解決するための手段】
【０００８】
上記目的を達成するため、本発明に係る照明具は、発光素子を搭載した基板と、上記基板の両端部に取り付けられたコネクタと、を有し、上記コネクタにより、連結可能に構成された照明具であって、上記基板は、複数の発光素子を一定のピッチごとに搭載し、上記コネクタは、相手方コネクタと嵌合接続する嵌合部と、上記基板の端部が挿し込まれる挿込部と、を備え、上記コネクタによって複数の照明具が連結された際、上記コネクタによって連結されている箇所を挟んで両隣に位置する発光素子間のピッチが、上記一定のピッチと同一に構成され、上記挿込部には、上記基板の発光素子搭載面側に、上記発光素子からの光を遮断することなく外部に出射させるための切欠部が設けられていることを特徴とする。
【０００９】
また、上記コネクタは、上記嵌合部により、相手方コネクタと着脱可能に嵌合接続するものとしてもよい。
【００１０】
また、上記コネクタは、相手方コネクタと脱離不能に係合する係合部を備えるものとしてもよい。
【００１１】
また、上記係合部は、上記コネクタの発光素子搭載面側に備えられているものとしてもよい。
【００１２】
また、上記基板は、樹脂によって覆われており、上記基板と上記挿込部との間がシーリングされ、上記嵌合部には、上記基板内部への浸水を防止する防水加工が施されているものとしてもよい。
【００１３】
また、上記基板は、一端側に電源へ通じる配線がなされ、所定数の発光素子を一組としたユニットを複数、並列に接続してなり、上記基板が上記ユニット間で切断された際、上記電源へ通じる側の回路が閉回路を構成するものとしてもよい。
【発明の効果】
【００１４】
本発明によれば、複数の照明具を連結して所望の長さの照明具を得ることができると共に、発光素子のピッチ間隔を同一とすることができる。これにより、ムラのない光で対象物を照らすことができる。
また、発光素子からの光がコネクタによって遮られることがない。
【図面の簡単な説明】
【００１５】
【図１】本発明の実施形態に係る照明具を示した外観斜視図である。
【図２】本実施形態において、コネクタを示した外観斜視図であって、（ａ）雄型のコネクタ、（ｂ）雌型のコネクタである。
【図３】本実施形態に係る照明具を連結した状態を示した外観斜視図である。
【図４】本実施形態において、基板を示した外観斜視図である。
【図５】本実施形態における回路図である。
【図６】本実施形態において、雄型のコネクタを構成する部材を示した外観斜視図であって、（ａ）ハウジングを嵌合部側から見た図、（ｂ）ハウジングを基板に接続する側から見た図、である。
【図７】本実施形態において、雄型のコネクタを構成するコンタクトを示した外観斜視図である。
【図８】本実施形態において、雄型のコネクタと基板との取付部分を示した断面図である。
【図９】本実施形態に係る雌型のコネクタを構成する部材を示した外観斜視図であって、（ａ）ハウジングを嵌合部側から見た図、（ｂ）ハウジングを基板に接続する側から見た図、である。
【図１０】本実施形態に係る雌型のコネクタを構成するコンタクトを示した外観斜視図である。
【図１１】本実施形態において、雌型のコネクタと基板との取付部分を示した断面図である。
【図１２】本実施形態に係る照明具を複数、連結させた状態を示す断面図である。
【図１３】本実施形態に係る照明具において、電源コードに接続するコネクタの形状を示した（ａ）外観斜視図、（ｂ）断面図である。
【図１４】本実施形態に係る照明具において、電源コードに接続する他のコネクタの形状を示した（ａ）外観斜視図、（ｂ）断面図である。
【図１５】本実施形態に係る照明具の取付例を示した外観斜視図である。
【発明を実施するための最良の形態】
【００１６】
以下、本発明の実施形態に係る照明具について、図を参照して説明する。
本実施形態に係る照明具１は、図１に示されるように、一方向に長さを有する平板状の照明具であって、主に間接照明として、壁面や棚等の取付面に取り付けて使用される。
この照明具１は、回路基板２１上に発光素子２０を搭載した基板２と、基板２の両端部に取り付けられたコネクタ３、４とから構成されている。
【００１７】
図２に示されるように、基板の両端部に取り付けられたコネクタ３、４は、複数の照明具１の連結を担う部材であって、夫々、雄型又は雌型の嵌合構造を有している。これにより、図３に示されるように、一の照明具１の雄型のコネクタ３と他の照明具１の雌型のコネクタ４を雌雄嵌合させることで、複数の照明具１を一本に連結させることができる。
【００１８】
また、図１に示されるように、基板２の発光素子２０は、照明具１の長さ方向に一定のピッチで配置されている。また、図３に示されるように、この一定のピッチ間隔は、コネクタ３、４によって複数の照明具１が一方向に連結された際に、コネクタ３、４を挟んで隣接する発光素子２０間のピッチ間隔とも同じである。
【００１９】
したがって、複数の照明具１を連結した場合においても、複数の照明具１の連結部分も含めた全ての発光素子２０のピッチ間隔が同一に構成される。その結果、複数の照明具１を連結して使用しても、光にムラがなく、美観上優れた演出を行うことができる。
【００２０】
続いて、本実施形態に係る照明具１を構成する基板２及びコネクタ３、４について、部材ごとに詳述する。
基板２は、図４に示されるように、発光素子２０を含む各種の電子部品を搭載した回路基板２１と、回路基板２１を覆う透明な樹脂チューブ２２とから構成されている。
【００２１】
発光素子２０は、本例では発光ダイオード（LED：Light Emitting Diode）であり、特に、一の発光素子２０中にＲＧＢ（Red; Green; Blue）の三原色を個別に発する３つのLEDチップ２０ａ（図５参照）が収められたものが用いられている。
この３つのLEDチップ２０ａが発する光は混色され、混色された光が外部に出射される。そして、この３つのLEDチップ２０ａの出力を適宜に調整することにより、白色を含めた様々な色の光を発光素子２０から出射させることができる。
【００２２】
回路基板２１は、発光素子２０を含む各種の電子部品を搭載し、銅箔等のプリント配線によって当該各種の電子部品による電子回路が形成されたプリント基板である。本例では特に、可撓性を有するフレキシブルプリント基板（FPC：Flexible Printed Circuits）が用いられており、取付面の曲面形状等に沿って適宜に撓ませることができる。
【００２３】
この回路基板２１では、図５に示されるように、複数の発光素子２０が直並列に接続されている。
回路基板２１において、抵抗素子Ｒを挟んで直列に接続された発光素子２０は、二つ一組で一つのユニットＵを構成しており、回路基板２１の長さ方向に沿って、複数のユニットＵが並列に接続されている。
【００２４】
また、この回路基板２１の両端部では、銅箔等からなるプリント配線の終端が、正負一対の端子２１１、２１２を構成している。そして、この端子２１１、２１２を介して、外部電源から回路基板２１へ電流を供給したり、コネクタ３、４によって接続された複数の照明具１間を通電状態としたりすることができる。
このように、回路基板２１の一端側に、正負一対の端子２１１、２１２が設けられることから、回路基板２１の一端部側のみ、任意に照明具１を間に連結して、外部電源と接続させることで、照明具１に電流を供給することができる。
【００２５】
このような回路基板２１の構成により、照明具１は、基板２をユニットＵ間で切断して、ユニットＵ単位の所望の長さで使用することができるようになっている。即ち、ユニットＵ間で切断した場合、外部電源へ通じる側の回路は閉回路を構成し、点灯可能となっている。
【００２６】
樹脂チューブ２２は、図４に示されるように、断面が長方形状からなり、内部に中空の貫挿孔２２ａを有した透明な樹脂製チューブである。回路基板２１が透明な樹脂チューブ２２で覆われることにより、水分や埃による不具合を防ぐとともに、発光素子２０から出射される光を透過させ、外部を照らすことができる。
【００２７】
以上の構成からなる基板２は、回路基板２１上、発光素子２０が一定のピッチ間隔で搭載されている。さらに、回路基板２１は、その両端部において、最も端部寄りの発光素子２０と回路基板２１の終端部分との間の距離が、隣接する発光素子２０間のピッチ間隔の半分の長さよりも僅かに短く構成されている。
これにより、基板２の端部に取り付けられたコネクタ３、４によって複数の照明具１が連結された際、当該連結された箇所を挟んで両隣に位置する発光素子２０間のピッチが、他の隣接する発光素子２０間のピッチと同一に構成される。なお、最も端部寄りの発光素子２０と回路基板２１の終端部分との間の距離について、隣接する発光素子２０間のピッチ間隔の半分の長さよりも僅かに短くしているのは、嵌合するコネクタ３、４の長さを考慮したものである。
【００２８】
コネクタ３は、図６及び図７に示されるように、雄型の嵌合構造を有しており、基板２の一端部に取り付けられると共に、雌型のコネクタ４と前後方向に嵌合接続して、複数の照明具１の連結を可能とする部材である。
このコネクタ３は、基板２の回路基板２１に設けられている端子２１１、２１２と接触して通電するコンタクト３２と、当該コンタクト３２を保持するハウジング３１とから構成される。
【００２９】
ハウジング３１は、一方側が、雌型のコネクタ４と着脱可能に嵌合接続する嵌合部３１１を構成し、他方側が、基板２の端部が挿し込まれる挿込部３１２を構成している。また、発光素子２０の搭載面側であって、ハウジング３１の上端部には、コネクタ４の係合孔４１３に係合する係合爪３１３が設けられている。
なお、このハウジング３１は、プラスチック等の電気絶縁性材料を射出成形等して作製することができる。
【００３０】
嵌合部３１１は、図６（ａ）に示されるように、コネクタ４との嵌合方向に向かって開口した断面コの字形状からなる。この嵌合部３１１は、コネクタ４の嵌合部４１１の形状に即して、コネクタ４との嵌合方向に沿って凹んで設けられた嵌合孔３１１ａと、嵌合孔３１１ａを四角形の枠状に囲う枠体３１１ｂとを有している。
嵌合孔３１１ａは、奥に設けられた仕切壁３１４によって挿込孔３１２ａと仕切られており、この仕切壁３１４には、コンタクト３２が嵌挿される嵌挿孔３１４ａが形成されている。この嵌挿孔３１４ａには、コンタクト３２の嵌挿部３２２が挿込部３１２側から嵌挿される。
【００３１】
また、嵌合孔３１１ａ内あるいは枠体３１１ｂの内周面には、外部からの水分の侵入を防止するための防水樹脂３１５、３１６が取り付けられている。照明具１を複数、連結し、コネクタ３の嵌合部３１１とコネクタ４の嵌合部４１とを嵌合させた際、防水樹脂３１５、３１６は嵌合突起４１１ａの外周面あるいは嵌合溝４１１ｂに当接して、嵌合部分から基板２内へ水分が侵入するのを防ぐ。
なお、防水樹脂３１５、３１６は、嵌合孔３１１ａ内あるいは枠体３１１ｂの内周面に予め設けた凹み等に嵌め込んで取り付けるようにしてもよいし、接着剤等で接着させてもよい。
【００３２】
挿込部３１２は、図６（ｂ）に示されるように、基板２の挿込方向に向かって開口した断面略コの字形状からなり、基板２を左右両側端部と底面側から保持する。
この挿込部３１２は、基板２の挿込方向に沿って凹んで設けられた挿込孔３１２ａと、基板２の形状に即して、挿込孔３１２ａを略四角形の枠状に覆い、挿込孔３１２ａ内に挿し込まれた基板２を保持する枠体３１２ｂからなる。
挿込孔３１２ａは、奥に設けられた仕切壁３１４によって嵌合孔３１１ａと仕切られており、仕切壁３１４には、コンタクト３２が嵌挿される嵌挿孔３１４ａが形成されている。
【００３３】
なお、挿込部３１２に基板２を挿し込むことにより、コネクタ３を基板２に取り付けた際、基板２と挿込孔３１２ａの内周面あるいは枠体３１２ｂとの間をシーリングしておき、挿込部３１２から基板２内へ水分が侵入するのを防ぐようにしてもよい。
【００３４】
また、挿込部３１２の上端部であって、挿し込まれる基板２の発光素子２０の搭載面側には、発光素子２０が発する光を遮断することなく、外部に出射させるための切欠部３１２ｃが形成されている。
この切欠部３１２ｃにより、特に発光素子２０間のピッチ間隔を狭く構成した場合でも、複数の照明具１が接続される際において、基板２の最も端部寄りに位置し、コネクタ３、４に最も近い発光素子２０が発する光がコネクタ３、４によって遮られることを防ぐことができる。
【００３５】
係合爪３１３は、ハウジング３１の上端部において、中央部分からコネクタ４との嵌合方向に向かって延出した棒状の部材であり、先端部は鉤爪形状からなる。この係合爪３１３は、コネクタ４の係合孔４１３に係合し、コネクタ３、４の嵌合部３１１、４１１によって嵌合接続した照明具１同士が脱離するのを防ぐ。
【００３６】
コンタクト３２は、導電性を有し、縦長の略平板状に構成された金属製の部材であり、一端が回路基板２１の端子２１１、２１２に接触して取り付けられると共に、他端がコネクタ３の嵌挿孔３１４ａに嵌挿されて、ハウジング３１内に保持される。このコンタクト３２により、コンタクト３２が接触して取り付けられた回路基板２１と外部電源、あるいは当該回路基板２と接続された他の照明具１との間の電気的接続が確立される。
【００３７】
このコンタクト３２は、図７に示されるように、基板接触部３２１、嵌挿部３２２、及び抜止部３２３から構成される。
基板接触部３２１は、コンタクト３２の一端側によって構成され、回路基板２１の端子２１１、２１２に接触して取り付けられる。
また、嵌挿部３２２は、コンタクト３２の他端側によって構成され、コネクタ３の嵌挿孔３１４ｂに嵌挿されると共に、コンタクト３２が取り付けられている照明具１が他の照明具１と連結された際に、当該他の照明具１のコネクタ４内のコンタクト４２と接触する。
また、抜止部３２３は、コンタクト３２の中央部分から下方へ斜めに延び出した平板状の部分によって構成され、先端部が仕切壁３１４に当接して、コンタクト３２が嵌挿孔３１４ａから基板２の挿込方向に抜け出るのを防ぐ。
【００３８】
このような構成からなるコネクタ３が基板２に取り付けられた状態を図８に示す。
コネクタ３の挿込部３１２の挿込孔３１２ａには、基板２の一端部が挿し込まれている。また、基板２の回路基板２１の端子２１１、２１２には夫々、コンタクト３２の基板接触部３２１が接触して取り付けられており、コンタクト３２の嵌挿部３２２は、挿込部３１２側から嵌挿孔３１４ａに嵌挿され、嵌合孔３１１ａ内に突き出ている。さらに、コンタクト３２の抜止部３２３の先端部は、仕切壁３１４に嵌合部３１１側から当接して、コンタクト３２が挿込部３１２側に抜け出るのを防いでいる。
【００３９】
コネクタ４は、図９及び図１０に示されるように、雌型の嵌合構造を有しており、基板２の一端部に取り付けられると共に、雄型のコネクタ３と前後方向に嵌合接続して、複数の照明具１の連結を可能とする部材である。
このコネクタ４は、基板２の回路基板２１に設けられている端子２１１、２１２と接触して通電するコンタクト４２と、絶縁性部材からなり、当該コンタクト４２を保持するハウジング４１とから構成される。
【００４０】
ハウジング４１は、一方側が、雄型のコネクタ３と着脱可能に嵌合接続する嵌合部４１１を構成し、他方側が、基板２の端部が挿し込まれる挿込部４１２を構成している。また、発光素子２０の搭載面側であって、ハウジング４１の上端部には、コネクタ３の係合爪３１３と係合する係合孔４１３が設けられている。
なお、このハウジング４１は、プラスチック等の電気絶縁性材料を射出成形等して作製することができる。
【００４１】
嵌合部４１１は、図９（ａ）に示されるように、コネクタ３との嵌合方向に向かって突出した嵌合突起４１１ａと、嵌合突起４１１ａを四角形の枠状に囲う枠体４１１ｂと、嵌合突起４１１ａと枠体４１１ｂの間に設けられた嵌合溝４１１ｃとからなる。
嵌合突起４１１ａの基底部あるいは嵌合溝４１１ｃの溝底は、仕切壁４１４によって挿込部４１２と仕切られている。また、この仕切壁４１４には、コンタクト４２が嵌挿される嵌挿孔４１４ａが形成されており、この嵌挿孔４１４ａに、コンタクト４２の嵌挿部４２２が挿込部４１２側から嵌挿される。
【００４２】
挿込部４１２は、図９（ｂ）に示されるように、基板２の挿込方向に向かって開口した断面略コの字形状からなり、基板２を左右両側端部と底面側から保持する。
この挿込部４１２は、基板２の挿込方向に沿って凹んで設けられた挿込孔４１２ａと、基板２の形状に即して、挿込孔４１２ａを略四角形の枠状に囲い、挿込孔４１２ａ内に挿し込まれた基板２を保持する枠体４１２ｂからなる。
挿込孔４１２ａは、奥に設けられた仕切壁４１４によって嵌合突起４１１ａと仕切られており、仕切壁４１４には、コンタクト４２が嵌挿される嵌挿孔４１４ａが形成されている。
【００４３】
なお、挿込部４１２に基板２を差し込むことにより、コネクタ４を基板２に取り付けた際、基板２と挿込孔４１２ａの内周面あるいは枠体４１２ｂとの間をシーリングしておき、挿込部３１２から基板２内へ水分が侵入するのを防ぐようにしてもよい。
【００４４】
また、挿込部４１２の上端部であって、挿し込まれる基板２の発光素子２０の搭載面側には、発光素子２０が発する光を遮断することなく、外部に出射させるための切欠部４１２ｃが形成されている。
この切欠部４１２ｃにより、特に発光素子２０間のピッチ間隔を狭く構成した場合でも、複数の照明具１が接続される際において、基板２の最も端部寄りに位置し、コネクタ３、４に最も近い発光素子２０の近くに取り付けられる場合でも、発光素子２０が発する光がコネクタ３、４によって遮られることを防ぐことができる。
【００４５】
係合孔４１３は、ハウジング４１の上端部において、コネクタ３との嵌合方向に貫通した枠状に囲われた孔である。この係合孔４１３は、コネクタ４の係合爪３１３と係合し、コネクタ３、４の嵌合部３１１、４１１によって嵌合接続した照明具１同士が脱離するのを防ぐ。
【００４６】
コンタクト４２は、導電性を有し、縦長の略平板状に構成された金属製の部材であり、一端が回路基板２１の端子２１１、２１２に接触して取り付けられると共に、他端がコネクタ４の嵌挿孔４１４ａに嵌挿されて、ハウジング４１内に保持される。これにより、コンタクト４２が接触して取り付けられた回路基板２１と外部電源、あるいは当該回路基板２と接続された他の照明具１との間の電気的接続が確立される。
【００４７】
このコンタクト４２は、図１０に示されるように、基板接触部４２１、嵌挿部４２２、及び抜止部４２３から構成される。
基板接触部４２１は、コンタクト４２の一端側によって構成され、回路基板２１の端子２１１、２１２に接触して取り付けられる。
また、嵌挿部４２２は、コンタクト４２の他端側によって構成される。この嵌挿部４２２は、左右両側端部を折り返してなり、当該折り返された部分の間隙にはコンタクト３２の平板状の嵌挿部３２２が挿込可能となっている。この嵌挿部４２２は、コネクタ４の嵌挿孔４１１ｂに嵌挿されると共に、コンタクト４２が取り付けられている照明具１が他の照明具１と接続された際に、当該他の照明具１のコネクタ３内のコンタクト３２と接触する。
また、抜止部４２３は、コンタクト４２の嵌挿部４２２側の先端から下方へ斜めに延び出した平板状の部分であって、先端部が仕切壁４１４に当接して、コンタクト４２が嵌挿孔４１４ａから基板２の挿込方向に抜け出るのを防ぐ。
【００４８】
このような構成からなるコネクタ４が基板２に取り付けられた状態を図１１に示す。
コネクタ４の挿込部４１２の挿込孔４１２ａには、基板２の一端部が挿し込まれている。また、基板２の回路基板２１の端子２１１、２１２には夫々、コンタクト４２の基板接触部４２１が接触して取り付けられており、コンタクト４２の嵌挿部４２２は、挿込部４１２側から嵌挿孔４１４ａに嵌挿され、嵌合孔４１１ａ内に突き出ている。さらに、コンタクト４２の抜止部４２３の先端部は、仕切壁４１４に嵌合部４１１側から当接して、コンタクト４２が挿込部４１２側に抜け出るのを防いでいる。
【００４９】
以上の部材によって構成される照明具１は、コネクタ３、４によって複数、相互に連結させることができ、これにより所望の長さに延長させることができる。
複数の照明具１を連結させる場合には、図１２に示されるように、一の照明具１のコネクタ３と、他の照明具１のコネクタ４とを嵌合させる。詳細には、コネクタ３の嵌合孔３１１ａ内にコネクタ４の嵌合突起４１１ａが嵌合すると共に、コネクタ３の枠体３１１ｂがコネクタ４の嵌合溝４１１ｂに嵌まり込み、これにより、コネクタ３、４が嵌合した状態となる。
【００５０】
このようにコネクタ３、４を嵌合させた状態において、コネクタ３のコンタクト３２の嵌挿部３２２は、コネクタ４のコンタクト４２の嵌挿部４２２に挿し込まれ、互いに接触している。これにより、一の照明具１と他の照明具１が電気的に接続された状態となっている。
【００５１】
また、コネクタ３の係合爪３１３はコネクタ４の係合孔４１３に係合し、コネクタ３、４同士が脱離しないようになっている。なお、係合爪３１３と係合孔４１３による係合は、係合爪３１３の鉤爪状の先端部を押し下げながら、嵌合接続しているコネクタ３、４を、互いと離間する向きに引っ張ることで解除することができる。
【００５２】
また、コネクタ３の防水樹脂３１５、３１６は、コネクタ４の嵌合突起４１１ａの外周面あるいは嵌合溝４１１ｂに当接して、嵌合部分から基板２内へ水分が侵入するのを防いでいる。
【００５３】
以上の本実施形態に係る照明具１によれば、複数の照明具１を連結して所望の長さの照明具を得ることができるし、必要に応じて基板２をユニット単位で切断することで、より細かい要求に応じた長さの照明具１を得ることができる。
また、連結部分を含め、全ての隣り合う発光素子２０間のピッチ間隔を同一とすることができるため、ムラのない光で対象物を照らすことができる。
また、コネクタ３、４に切欠部３１２ｃ、４１２ｃが設けられていることから、特に発光素子２０間のピッチ間隔が狭い場合であっても、コネクタ３、４に近いに位置に搭載されている発光素子２０が発する光が遮られることがない。
さらに、基板２が樹脂チューブ２２で覆われていると共に、挿込部３１２、４１２におけるシーリングや、防水樹脂３１４、３１５による防水加工によって、基板２内部に水分が侵入することもないため、不具合を起こすことなく、様々な場所に取り付けることができる。
【００５４】
以上の本実施形態に係る照明具１は、図１３又は図１４に示されるように、所望の長さに連結されると共に、連結された複数の照明具１のうちの終端の照明具１の一端部が外部電源に接続される。ここで、外部電源との接続には別途のコネクタ４、５が用いられるが、連結された複数の照明具１のうちの終端の照明具１の一端部は、取付場所等の事情によって雄型のコネクタ３である場合もあれば、雌型のコネクタ４である場合もある。そのため、コネクタ３、４夫々の場合に備えて、雄型のコネクタ３に対応したコネクタ５と、雌型のコネクタ４に対応したコネクタ６が用意されている。
【００５５】
図１３は、雄型のコネクタ３に外部電源を接続するためのコネクタ５、及びコネクタ３とコネクタ５の接続構造を示している。
コネクタ５は、コネクタ３の嵌合部３１１と嵌合する嵌合部５１１を備えている。この嵌合部５１１には、コネクタ３の嵌合部３１１から突き出たコンタクト３２の嵌挿部３２２が挿し込まれることにより、コンタクト３２と電気的に接続するコンタクト５２が設けられている。このコンタクト５２の他端は、外部電源につながるリード線５３と接続しており、これにより、照明具１に電力が供給される。
【００５６】
図１４は、雌型のコネクタ４に外部電源を接続するためのコネクタ６、及びコネクタ４とコネクタ６の接続構造を示している。
コネクタ６は、コネクタ４の嵌合部４１１と嵌合する嵌合部６１１を備えている。この嵌合部６１１には、コネクタ４の嵌合部４１１から突き出たコンタクト４２の嵌挿部４２２に挿し込まれることにより、コンタクト４２と電気的に接続するコンタクト６２が設けられている。このコンタクト６２の他端は、外部電源につながるリード線６３と接続しており、これにより、照明具１に電力が供給される。
【００５７】
以上の本実施形態に係る照明具１は、基板２の裏面側、即ち、発光素子２０が搭載されている側と反対の側を、取付面に直接、接着剤等で接着させて取り付けることができるほか、図１５に示されるように、所定の取付部材を用いて取付面に取り付けるようにしてもよい。
【００５８】
即ち、図１５の例では、基板２の形状に即して、一端が開口した断面コの字形状に形成されたレール７を用いている。
このレール７は、全長が基板２の長さよりも僅かに短く、開口部分が基板２を嵌め込むための嵌合部７１を構成しており、当該嵌合部７１に基板２を嵌合させることができる。
【００５９】
コネクタ３、４が取り付けられた照明具１をレール７に取り付けると、コネクタ３、４の部分を除いた基板２の部分だけがレール７の嵌合部７１に嵌合し、コネクタ３、４はレールの両端から外側にはみ出す。コネクタ３、４は、基板２よりも外形寸法が大きいため、レール７からはみ出させることで、不必要にレール７を大きくなって、照明具１の取付面を制限することがないようになっている。
嵌合部７１に照明具１が嵌め込まれたレール７の他面側を取付面に接着等することにより、照明具１の撓みを防いで、確実に取付面に取り付けることができる。
【００６０】
なお、以上の本実施形態において、コネクタ３、４による連結構造は、特に上記のものに限られず、既知の各種の構造により、連結させるものとしてもよい。
また、コンタクト３２、４２をコネクタ３、４内に保持する方法は、圧入や引っ掛け（ランス）、溶着など、各種の方法によって行うことができる。
また、防水樹脂３１５、３１６は、雄型のコネクタ３側に設けるものとしたが、雌型のコネクタ４側に設けるものとしてもよいし、双方に設けるものとしてもよい。
【００６１】
また、基板２について、ユニットＵの数や、ユニットＵを構成する発光素子２０の数、基板２事態の長さ等は特に限定されない。
また、基板２をユニットＵ単位で切断した場合には、切断箇所を適宜、シーリングやキャップ等で封止するとよい。
また、発光素子２０には、上述したＬＥＤ以外の各種のＬＥＤを用いることができる。
また、端部における発光素子２０と基板２端部との間の距離は、基板２における発光素子２０間のピッチ間隔の約半分であるが、その正確な長さは、コネクタ３、４の形状によって決まる。したがって、コネクタ３、４が連結している部分の長さを考慮し、複数の照明具１を連結した状態において、連結箇所を挟んで隣り合う発光素子２０間のピッチ間隔が、他の発光素子２０間のピッチ間隔と同じとなるように設計すればよい。
【符号の説明】
【００６２】
１        照明具
２        基板
２０      発光素子
２１      回路基板
２１１    端子
２１２    端子
２２      樹脂チューブ
３        コネクタ
３１      ハウジング
３１１    嵌合部
３１２    挿込部
３１３    係合爪
３１４    仕切壁
３２      コンタクト
３２１    基板接触部
３２２    嵌挿部
３２３    抜止部
４        コネクタ
４１      ハウジング
４１１    嵌合部
４１２    挿込部
４１３    係合孔
４１４    仕切壁
４２      コンタクト
４２１    基板接触部
４２２    嵌挿部
４２３    抜止部
【要約】      （修正有）【課題】複数連結して所望の長さに延長することができると共に、発光素子が発する光を遮ることなく、光にムラやばらつきのないものを提供する。【解決手段】照明具は、発光素子２０を搭載した基板２と、基板２の両端部に取り付けられたコネクタ３、４とを有し、コネクタ３、４により連結可能に構成されている。基板２は、複数の発光素子２０を一定のピッチごとに搭載し、コネクタ３、４は、相手方コネクタ３、４と嵌合接続する嵌合部と、基板２の端部が挿し込まれる挿込部とを備え、複数の照明具が連結された際、コネクタ３、４によって連結されている箇所を挟んで両隣に位置する発光素子２０間のピッチが、一定のピッチと同一に構成される。また、挿込部には、基板２の発光素子搭載面側に、発光素子２０からの光を遮断することなく外部に出射させるための切欠部が設けられている。【選択図】図３【図１】
0005452746.tif 000002
【図２】
0005452746.tif 000003
【図３】
0005452746.tif 000004
【図４】
0005452746.tif 000005
【図５】
0005452746.tif 000006
【図６】
0005452746.tif 000007
【図７】
0005452746.tif 000008
【図８】
0005452746.tif 000009
【図９】
0005452746.tif 000010
【図１０】
0005452746.tif 000011
【図１１】
0005452746.tif 000012
【図１２】
0005452746.tif 000013
【図１３】
0005452746.tif 000014
【図１４】
0005452746.tif 000015
【図１５】
0005452746.tif 000016